(57)【要約】【課題】Ｆ１．４程度と明るく、諸収差を良好に補正した撮像レンズを提供する【解決手段】物体側から順に、正または負のパワーを有する第１レンズ群Ｇ１と、正のパワーを有する第２レンズ群Ｇ２と、開口絞りＳと、正のパワーを有する第３レンズ群Ｇ３とから構成され、無限遠から近距離までのフォーカシングに際して、前記第１レンズ群Ｇ１が像面に対して固定され、前記第２レンズ群Ｇ２と前記第３レンズ群Ｇ３が物体方向に移動し、前記第１レンズ群Ｇ１は、負のパワーを有する第１Ａサブレンズ群Ｇ１Ａと、正のパワーを有する第１Ｂサブレンズ群Ｇ１Ｂとからなり、前記第１Ａサブレンズ群Ｇ１Ａは２枚の負レンズを含み、前記第１Ｂサブレンズ群Ｇ１Ｂは物体側から順に、負レンズＬＸ１と正レンズＬＸ２とを接合し物体側に凹面を向けたレンズ成分Ｘ、正レンズＬＹ１と負レンズＬＹ２を接合したレンズ成分Ｙを有し、特定の条件式を満足することを特徴とする撮像レンズ。【選択図】図１
2020012952.tif 000002
【特許請求の範囲】
【請求項１】
物体側から順に、正または負のパワーを有する第１レンズ群Ｇ１と、正のパワーを有する第２レンズ群Ｇ２と、開口絞りＳと、正のパワーを有する第３レンズ群Ｇ３とから構成され、
無限遠から近距離までのフォーカシングに際して、前記第１レンズ群Ｇ１が像面に対して固定され、前記第２レンズ群Ｇ２と前記第３レンズ群Ｇ３が物体方向に移動し、
前記第１レンズ群Ｇ１は、負のパワーを有する第１Ａサブレンズ群Ｇ１Ａと、正のパワーを有する第１Ｂサブレンズ群Ｇ１Ｂとからなり、
前記第１Ａサブレンズ群Ｇ１Ａは２枚の負レンズを含み、
前記第１Ｂサブレンズ群Ｇ１Ｂは物体側から順に、負レンズＬＸ１と正レンズＬＸ２とを接合し物体側に凹面を向けたレンズ成分Ｘ、正レンズＬＹ１と負レンズＬＹ２を接合したレンズ成分Ｙを有し、
下記条件式を満足することを特徴とする撮像レンズ。
（１） １．３＜  ｆ３／ｆｗ  ＜２．５
（２） ０．６＜ＶＸ１／ＶＸ２＜１．２
（３） １．６＜ＶＹ１／ＶＹ２＜２．５
（４） ０．４＜（ＲＹ１１＋ＲＹ１２）／（ＲＹ１１−ＲＹ１２）＜２．５
ただし、
ｆｗ：全系の無限遠合焦時の焦点距離
ｆ３：前記第３レンズ群の焦点距離
ＶＸ１：前記負レンズＬＸ１のアッベ数
ＶＸ２：前記正レンズＬＸ２のアッベ数
ＶＹ１：前記負レンズＬＹ１のアッベ数
ＶＹ２：前記正レンズＬＹ２のアッベ数
ＲＹ１１：前記ＬＹ１の物体側の面の曲率半径
ＲＹ１２：前記ＬＹ１の像側の面の曲率半径
【請求項２】
前記レンズ成分Ｘと前記レンズ成分Ｙをそれぞれ構成する各レンズが下記条件式を満足することを特徴とする請求項１に記載の撮像レンズ。
（５）  ０．４＜｜ｆｗ／ｆＸ１｜＜１．５
（６）  ０．３＜ｆｗ／ｆＸ２＜１．２
（７）  ０．４＜ｆｗ／ｆＹ１＜１．５
（８）  ０．５＜｜ｆｗ／ｆＹ２｜＜１．５
ただし、
ｆｗ：全系の焦点距離
ｆＸ１：前記負レンズＬＸ１の焦点距離
ｆＸ２：前記正レンズＬＸ２の焦点距離
ｆＹ１：前記正レンズＬＹ１の焦点距離
ｆＹ２：前記負レンズＬＹ２の焦点距離
【請求項３】
前記第１Ａサブレンズ群Ｇ１Ａの最も物体側に正レンズが配置されていることを特徴とする請求項１又は請求項２に記載の撮像レンズ。
【請求項４】
前記第１Ａサブレンズ群Ｇ１Ａの負レンズはいずれも下記条件式を満足することを特徴とする請求項１乃至請求項３のいずれかに記載の撮像レンズ。
（９）  ＶｎＡ×ΔＰｇＦｎＡ  ＞１．０
ただし、
ＶｎＡ：前記第１Ａサブレンズ群Ｇ１Ａに含まれる各負レンズのアッベ数
ΔＰｇＦｎＡ：前記第１Ａサブレンズ群に含まれる各負レンズの異常分散性
【請求項５】
前記第２レンズ群Ｇ２の最も像側の面は像側に凹面を向けており、
前記第３レンズ群Ｇ３は、物体側から順に、両凸レンズＬ３１と両凹レンズＬ３２を接合し物体側に凸面を向けた負レンズ成分Ｌ３ａ、物体側に凹面を向けた負メニスカスレンズＬ３３、両凸レンズＬ３４を有し、下記条件式を満足することを特徴とする請求項１乃至請求項４のいずれかに記載の撮像レンズ。
（１０）  −０．７＜１００×（Ｎ３２−Ｎ３１）／（Ｖ３２−Ｖ３１）＜−０．０５
（１１）  Ｖ３１＞６０
（１２）  −１．８＜Ｒ３３／Ｄｓ３３＜−１．０
ただし、
Ｎ３１：前記両凸レンズＬ３１の屈折率
Ｖ３１：前記両凸レンズＬ３１のアッベ数
Ｎ３２：前記両凹レンズＬ３２の屈折率
Ｖ３２：前記両凹レンズＬ３２のアッベ数
Ｒ３３：前記負メニスカスレンズＬ３３の物体側の面の曲率半径
Ｄｓ３３：前記開口絞りＳから前記負メニスカスレンズＬ３３の物体側の面までの光軸上の距離
【請求項６】
前記第３レンズ群Ｇ３は、光軸から離れるほど負のパワーが強くなる非球面を持つレンズ成分を有することを特徴とする請求項１乃至請求項５のいずれかに記載の撮像レンズ。
【請求項７】
無限遠から近距離までのフォーカシングに際して、前記第２レンズ群Ｇ２と前記第３レンズ群がそれぞれ異なる移動量で物体方向に移動することを特徴とする請求項１乃至請求項６のいずれかに記載の撮像レンズ。
【発明の詳細な説明】
【技術分野】
【０００１】
本発明は光学系に関し、たとえばデジタルスチルカメラ、デジタルビデオカメラ、シネマカメラ等の撮像装置に用いる撮像レンズに好適なものである。
【背景技術】
【０００２】
デジタルカメラをはじめとする光学機器に用いられる撮影光学系においては高速撮影や大きなボケを生かした表現に対応できるよう大口径比であることが求められている。さらに近年のＣＣＤ・ＣＭＯＳセンサーの高画素化に伴い、諸収差をより一層補正して高性能であることが要求されている。
【０００３】
従来、短焦点レンズではバックフォーカスを確保する必要からレトロフォーカスタイプを取ることが多い。レトロフォーカスタイプを採用して大口径比と高性能化を図った撮像レンズが知られている。
【先行技術文献】
【特許文献】
【０００４】
【特許文献１】特許５７９６９１９号公報
【特許文献２】特開２０１５−２００８４５号公報
【発明の概要】
【発明が解決しようとする課題】
【０００５】
特許文献１で開示されている光学系は、レトロフォーカスタイプを採用し、画角全域にわたって諸収差を良好に補正しているものの、Ｆ値が２程度と暗く、この構成からＦ１．４程度を達成することは困難である。
【０００６】
特許文献２で開示されている光学系は、特殊な材料の光学素子を採用し軸上色収差を良好に補正しているものの、大口径比レンズに発生しやすいコマ収差やサジタルコマフレアの補正が不十分であり、特に周辺画角での性能低下が顕著である。
【０００７】
本発明はこのような状況に鑑みてなされたものであり、Ｆ１．４程度と明るく、諸収差を良好に補正した撮像レンズを提供することを目的とする。
【課題を解決するための手段】
【０００８】
前述の課題を解決するための第１の発明は、物体側から順に、正または負のパワーを有する第１レンズ群Ｇ１と、正のパワーを有する第２レンズ群Ｇ２と、開口絞りＳと、正のパワーを有する第３レンズ群Ｇ３とから構成され、無限遠から近距離までのフォーカシングに際して、前記第１レンズ群Ｇ１が像面に対して固定され、前記第２レンズ群Ｇ２と前記第３レンズ群Ｇ３が物体方向に移動し、前記第１レンズ群Ｇ１は、負のパワーを有する第１Ａサブレンズ群Ｇ１Ａと、正のパワーを有する第１Ｂサブレンズ群Ｇ１Ｂとからなり、前記第１Ａサブレンズ群Ｇ１Ａは２枚の負レンズを含み、前記第１Ｂサブレンズ群Ｇ１Ｂは物体側から順に、負レンズＬＸ１と正レンズＬＸ２とを接合し物体側に凹面を向けたレンズ成分Ｘ、正レンズＬＹ１と負レンズＬＹ２を接合したレンズ成分Ｙを有し、下記条件式を満足することを特徴とする撮像レンズ。
（１） １．３＜  ｆ３／ｆｗ  ＜２．５
（２） ０．６＜ＶＸ１／ＶＸ２＜１．２
（３） １．６＜ＶＹ１／ＶＹ２＜２．５
（４） ０．４＜（ＲＹ１１＋ＲＹ１２）／（ＲＹ１１−ＲＹ１２）＜２．５
ただし、
ｆｗ：全系の無限遠合焦時の 焦点距離
ｆ３：前記第３レンズ群の焦点距離
ＶＸ１：前記負レンズＬＸ１のアッベ数
ＶＸ２：前記正レンズＬＸ２のアッベ数
ＶＹ１：前記負レンズＬＹ１のアッベ数
ＶＹ２：前記正レンズＬＹ２のアッベ数
ＲＹ１１：前記ＬＹ１の物体側の面の曲率半径
ＲＹ１２：前記ＬＹ１の像側の面の曲率半径
【０００９】
第２の発明は、前記レンズ成分Ｘと前記レンズ成分Ｙをそれぞれ構成する各レンズが下記条件式を満足することを特徴とする第１の発明に記載の撮像レンズ。
（５）  ０．４＜｜ｆｗ／ｆＸ１｜＜１．５
（６）  ０．３＜ｆｗ／ｆＸ２＜１．２
（７）  ０．４＜ｆｗ／ｆＹ１＜１．５
（８）  ０．５＜｜ｆｗ／ｆＹ２｜＜１．５
ただし、
ｆｗ：全系の焦点距離
ｆＸ１：前記負レンズＬＸ１の焦点距離
ｆＸ２：前記正レンズＬＸ２の焦点距離
ｆＹ１：前記正レンズＬＹ１の焦点距離
ｆＹ２：前記負レンズＬＹ２の焦点距離
【００１０】
第３の発明は、前記第１Ａサブレンズ群Ｇ１Ａの最も物体側に正レンズが配置されていることを特徴とする第１の発明又は第２の発明に記載の撮像レンズ。
【００１１】
第４の発明は、前記第１Ａサブレンズ群Ｇ１Ａの負レンズはいずれも下記条件式を満足することを特徴とする第１の発明乃至第３の発明のいずれかに記載の撮像レンズ。
（９）  ＶｎＡ×ΔＰｇＦｎＡ  ＞１．０
ただし、
ＶｎＡ：前記第１Ａサブレンズ群Ｇ１Ａに含まれる各負レンズのアッベ数
ΔＰｇＦｎＡ：前記第１Ａサブレンズ群に含まれる各負レンズの異常分散性
【００１２】
第５の発明は、前記第２レンズ群Ｇ２の最も像側の面は像側に凹面を向けており、前記第３レンズ群Ｇ３は、物体側から順に、両凸レンズＬ３１と両凹レンズＬ３２を接合し物体側に凸面を向けた負レンズ成分Ｌ３ａ 、物体側に凹面を向けた負メニスカスレンズＬ３３、両凸レンズＬ３４を有し、下記条件式を満足することを特徴とする第１の発明乃至第４の発明のいずれかに記載の撮像レンズ。
（１０）  −０．７＜１００×（Ｎ３２−Ｎ３１）／（Ｖ３２−Ｖ３１）＜−０．０５
（１１）  Ｖ３１＞６０
（１２）  −１．８＜Ｒ３３／Ｄｓ３３＜−１．０
ただし、
Ｎ３１：前記両凸レンズＬ３１の屈折率
Ｖ３１：前記両凸レンズＬ３１のアッベ数
Ｎ３２：前記両凹レンズＬ３２の屈折率
Ｖ３２：前記両凹レンズＬ３２のアッベ数
Ｒ３３：前記負メニスカスレンズＬ３３の物体側の面の曲率半径
Ｄｓ３３：前記開口絞りＳから前記負メニスカスレンズＬ３３の物体側の面までの光軸上の距離
【００１３】
第６の発明は、前記第３レンズ群Ｇ３内に光軸から離れるほど負のパワーが強くなる非球面レンズを有することを特徴とする第１の発明乃至第５の発明のいずれかに記載の撮像レンズ。
【００１４】
第７の発明は、無限遠から近距離までのフォーカシングに際して、前記第２レンズ群Ｇ２と前記第３レンズ群がそれぞれ異なる移動量で物体方向に移動することを特徴とする第１の発明乃至第６の発明のいずれかに記載の撮像レンズ。
【発明の効果】
【００１５】
本発明によれば、Ｆ１．４程度と明るく、諸収差を良好に補正した撮像レンズを提供することが可能となる。
【図面の簡単な説明】
【００１６】
【図１】本発明の撮像レンズの実施例１に係るレンズ構成図である。
【図２】実施例１の撮像レンズの撮影距離無限遠における縦収差図である。
【図３】実施例１の撮像レンズの撮影距離３９３ｍｍにおける縦収差図である。
【図４】実施例１の撮像レンズの撮影距離無限遠における横収差図である。
【図５】実施例１の撮像レンズの撮影距離３９３ｍにおける横収差図である。
【図６】本発明の撮像レンズの実施例２に係るレンズ構成図である。
【図７】実施例２の撮像レンズの撮影距離無限遠における縦収差図である。
【図８】実施例２の撮像レンズの撮影距離３９３ｍにおける縦収差図である。
【図９】実施例２の撮像レンズの撮影距離無限遠における横収差図である。
【図１０】実施例２の撮像レンズの撮影距離３９３ｍｍにおける横収差図である。
【図１１】本発明の撮像レンズの実施例３に係るレンズ構成図である。
【図１２】実施例３の撮像レンズの撮影距離無限遠における縦収差図である。
【図１３】実施例３の撮像レンズの撮影距離３９２ｍｍにおける縦収差図である。
【図１４】実施例３の撮像レンズの撮影距離無限遠における横収差図である。
【図１５】実施例３の撮像レンズの撮影距離３９２ｍｍにおける横収差図である。
【図１６】本発明の撮像レンズの実施例４に係るレンズ構成図である。
【図１７】実施例４の撮像レンズの撮影距離無限遠における縦収差図である。
【図１８】実施例４の撮像レンズの撮影距離３９３ｍｍにおける縦収差図である。
【図１９】実施例４の撮像レンズの撮影距離無限遠における横収差図である。
【図２０】実施例４の撮像レンズの撮影距離３９３ｍｍにおける横収差図である。
【発明を実施するための形態】
【００１７】
以下、本発明の実施形態にかかる撮像レンズについて説明する。なお、g線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとし、アッベ数Ｖｄ、部分分散比ＰｇＦ、異常分散性ΔＰｇＦを下記で表す。
Ｖｄ＝（Ｎｄ−１）／（ＮＦ−ＮＣ）
ＰｇＦ＝（Ｎｇ−ＮＦ）／（ＮＦ−ＮＣ）
ΔＰｇＦ＝ＰｇＦ−０．６４８３３＋０．００１８０×Ｖｄ
【００１８】
また、本願でいうレンズ成分とは、単レンズ、複合非球面レンズ、接合レンズなど空気との境界面が２面である光学素子を表す。
【００１９】
本発明の撮像レンズは、図１、６、１１、及び１６に示すレンズ構成図からわかるように、物体側から順に、正または負のパワーを有する第１レンズ群Ｇ１と、正のパワーを有する第２レンズ群Ｇ２と、開口絞りＳと、正のパワーを有する第３レンズ群Ｇ３とから構成され、無限遠から近距離までのフォーカシングに際して、前記第１レンズ群Ｇ１が像面に対して固定され、前記第２レンズ群Ｇ２と前記第３レンズ群Ｇ３が物体方向に移動し、前記第１レンズ群Ｇ１は、負のパワーを有する第１Ａサブレンズ群Ｇ１Ａと、正のパワーを有する第１Ｂサブレンズ群Ｇ１Ｂとからなり、前記第１Ａサブレンズ群Ｇ１Ａは２枚の負レンズを含み、前記第１Ｂサブレンズ群Ｇ１Ｂは物体側から順に、負レンズＬＸ１と正レンズＬＸ２を接合したレンズ成分Ｘ、正レンズＬＹ１と負レンズＬＹ２を接合したレンズ成分Ｙを有し、下記条件式を満足することを特徴とする。
（１） １．３＜  ｆ３／ｆｗ  ＜２．５
（２） ０．６＜ＶＸ１／ＶＸ２＜１．２
（３） １．６＜ＶＹ１／ＶＹ２＜２．５
（４） ０．４＜（ＲＹ１１＋ＲＹ１２）／（ＲＹ１１−ＲＹ１２）＜２．５
ただし、
ｆｗ：全系の無限遠合焦時の焦点距離
ｆ３：前記第３レンズ群の焦点距離
ＶＸ１：前記負レンズＬＸ１のアッベ数
ＶＸ２：前記正レンズＬＸ２のアッベ数
ＶＹ１：前記負レンズＬＹ１のアッベ数
ＶＹ２：前記正レンズＬＹ２のアッベ数
ＲＹ１１：前記ＬＹ１の物体側の面の曲率半径
ＲＹ１２：前記ＬＹ１の像側の面の曲率半径
【００２０】
本発明の光学系は負先行型のいわゆるレトロフォーカス型のパワー配置とすることで、バックフォーカスを確保するとともに、軸上光線と周辺光線の光線高の差を利用し、軸上から周辺までの高性能を実現している。
【００２１】
第１レンズ群Ｇ１において、第１Ａサブレンズ群Ｇ１Ａに負のパワーを、第１Ｂサブレンズ群Ｇ１Ｂに正のパワーを持たせることで、軸上光線を一度跳ね上げることにより十分なバックフォーカスを確保することが可能となっている。このとき第１Ａサブレンズ群Ｇ１Ａは２枚の負レンズを含むことを特徴としている。負レンズを２枚有することで、第１Ａサブレンズ群Ｇ１Ａに十分な負のパワーを持たせることができる。さらに２枚の負レンズに同質の収差補正の役割を与えることで、その収差補正効果を倍加させることができる。
【００２２】
次に、第１Ｂサブレンズ群Ｇ１Ｂを、物体側から順にレンズ成分Ｘとレンズ成分Ｙを連続して配置する構成としている。このような構成にすることによって２つの接合レンズにそれぞれ異なる役割を与えることができ、収差補正の自由度が増す。
【００２３】
さらに、無限遠から近距離までのフォーカシングに際して、第１レンズ群Ｇ１を像面に対して固定し、第２レンズ群Ｇ２と第３レンズ群Ｇ３を物体方向に移動させる構成とすることで、フォーカシングに伴う非点収差や像面湾曲の変動を抑制することができる。
【００２４】
条件式（１）はバックフォーカスを確保しつつ広い画角を得るための条件を規定している。条件式（１）の上限を超え第３レンズ群Ｇ３のパワーが強くなると、バックフォーカスの確保が困難になり好ましくない。下限を超え第３レンズ群Ｇ３のパワーが小さくなると画角が狭くなりすぎるので好ましくない。
【００２５】
尚、条件式（１）について、望ましくは上限値を２．０、下限値を１．５とすることで、前述の効果をより確実にすることができる。
【００２６】
第１Ａサブレンズ群Ｇ１Ａが負のパワーを持ち、第１Ｂサブレンズ群Ｇ１Ｂは正のパワーを持っているため、第１Ｂサブレンズ群Ｇ１Ｂの接合されたレンズ成分Ｘとレンズ成分Ｙでは光線の通り方が異なっている。すなわち相対的にみれば、レンズ成分Ｘでは軸上光線が低く周辺主光線が高くなり、その一方でレンズ成分Ｙでは軸上光線が高く周辺主光線が低くなっている。したがってレンズ成分Ｘとレンズ成分Ｙはともに色消しの効果を有しながらも、より物体側に位置するレンズ成分Ｘは像面湾曲を補正し、レンズ成分Ｙは高次の球面収差を補正する役割を担わせることができる。このような役割分担を実現するためには、レンズ成分Ｘは新色消し、レンズ成分Ｙは旧色消しであることが望ましい。
【００２７】
条件式（２）と条件式（３）はこのような収差補正上の役割を担うために、レンズ成分Ｘとレンズ成分Ｙに用いるべき硝材について規定している。一般的に屈折率が高い硝材はアッベ数が低くなる傾向にある。
【００２８】
条件式（２）の下限を超え負レンズＬＸ１のアッベ数が相対的に小さくなるとレンズ成分Ｘの像面湾曲補正効果が減少し好ましくない。上限を超え正レンズＬＸ２のアッベ数が相対的に小さくなると色収差の悪化を招くので好ましくない。
【００２９】
尚、条件式（２）について、望ましくは上限値を１．０、下限値を０．７とすることで、前述の効果をより確実にすることができる。
【００３０】
条件式（３）の下限を超え、相対的に正レンズＬＹ１のアッベ数が小さくなると色収差の悪化を招くので好ましくない。上限を超え、正レンズＬＹ１と負レンズＬＹ２とのアッベ数の比が大きくなると、特に球面収差の色の差が顕著になるので好ましくない。
【００３１】
尚、条件式（３）について、望ましくは上限値を２．２、下限値を１．８とすることで、前述の効果をより確実にすることができる。
【００３２】
条件式（４）は正レンズＬＹ１の形状を規定し、コマ収差と球面収差をバランスよく良好に補正するための条件である。条件式（４）の上限を超えＬＹ１の物体側の面が負の方向にきつくなると、周辺光線のＬＹ１の物体側の面への入射角がきつくなり、コマ収差が悪化するので好ましくない。下限を超えＬＹ１の物体側の面が正の方向にきつくなると、レンズ成分Ｙを通過する軸上マージナル光線の曲がり角が強くなり、球面収差が悪化し好ましくない。
【００３３】
尚、条件式（４）について、望ましくは上限値を１．８、下限値を０．７とすることで、前述の効果をより確実にすることができる。
【００３４】
本発明の撮像レンズは、以下の条件式を満たすことを特徴としている。
（５）  ０．４＜｜ｆｗ／ｆＸ１｜＜１．５
（６）  ０．３＜ｆｗ／ｆＸ２＜１．２
（７）  ０．４＜ｆｗ／ｆＹ１＜１．５
（８）  ０．５＜｜ｆｗ／ｆＹ２｜＜１．５
ただし、
ｆｗ：全系の焦点距離
ｆＸ１：前記負レンズＬＸ１の焦点距離
ｆＸ２：前記正レンズＬＸ２の焦点距離
ｆＹ１：前記正レンズＬＹ１の焦点距離
ｆＹ２：前記負レンズＬＹ２の焦点距離
【００３５】
条件式（５）、（６）、（７）、（８）はレンズ成分Ｘとレンズ成分Ｙを構成するレンズの適切なパワーについて規定している。
【００３６】
条件式（５）、（６）の上限を超えレンズ成分Ｘを構成する負レンズＬＸ１と正レンズＬＸ２のパワーが強くなると非点収差が悪化し好ましくない。また、下限を超え負レンズＬＸ１と正レンズＬＸ２のパワーが弱くなると軸上色収差が悪化し好ましくない。
【００３７】
尚、条件式（５）について、望ましくは上限値を１．０、下限値を０．５とすることで、前述の効果をより確実にすることができる。
【００３８】
尚、条件式（６）について、望ましくは上限値を１．０、下限値を０．４とすることで、前述の効果をより確実にすることができる。
【００３９】
次に、条件式（７）、（８）の上限を超えレンズ成分Ｙを構成する正レンズＬＹ１と負レンズＬＹ２のパワーが強くなると、像面湾曲と軸上色収差が悪化し好ましくない。下限を超え正レンズＬＹ１と負レンズＬＹ２のパワーが弱くなると、正レンズＬＹ１の物体側の面が負の方向にきつくなりすぎ、コマ収差が悪化するので好ましくない。
【００４０】
尚、条件式（７）について、望ましくは上限値を０．８、下限値を０．５とすることで、前述の効果をより確実にすることができる。
【００４１】
尚、条件式（８）について、望ましくは上限値を１．２、下限値を０．７とすることで、前述の効果をより確実にすることができる。
【００４２】
本発明の撮像レンズは、前記第１Ａサブレンズ群Ｇ１Ａの最も物体側に正レンズを配置していることが望ましい。周辺主光線が最も高くなる最も物体側に正レンズを配置することによってレトロフォーカスタイプから生ずる負の歪曲収差の抑制に効果がある。
【００４３】
本発明の撮像レンズは、以下の条件式を満足することを特徴とする。
（９）  ＶｎＡ×ΔＰｇＦｎＡ  ＞１．０
ただし、
ＶｎＡ：前記第１Ａサブレンズ群Ｇ１Ａに含まれる各負レンズのアッベ数
ΔＰｇＦｎＡ：前記第１Ａサブレンズ群Ｇ１Ａに含まれる各負レンズの異常分散性
【００４４】
第１Ａサブレンズ群Ｇ１Ａは、軸上光線が低く周辺主光線が高いため、第１Ａサブレンズ群Ｇ１Ａ内の負レンズに低屈折率かつ異常分散性の高い硝材を使用することで、軸上色収差への影響を抑えつつ像面湾曲と倍率色収差を良好に補正することができる。条件式（９）はこのような収差補正を実現するための負レンズに使用するべき硝材について規定している。条件式（９）の下限を超えると像面湾曲と倍率色収差が悪化するので好ましくない。
【００４５】
尚、条件式（９）について、望ましくは下限値を３．０とすることで、前述の効果をより確実にすることができる。
【００４６】
次に、前記第３レンズ群Ｇ３は、物体側から順に、両凸レンズＬ３１と両凹レンズＬ３２を接合し物体側に凸面を向けた負レンズ成分Ｌ３ａ、物体側に凹面を向けた負メニスカスレンズＬ３３、両凸レンズＬ３４を有していることが望ましい。
【００４７】
このような構成にすることで、典型的なダブルガウスタイプとは異なる収差補正ができ、とくにサジタルコマフレアを良好に補正することができる。
【００４８】
本発明の撮像レンズは、以下の条件式を満足することを特徴とする。
（１０）  −０．７＜１００×（Ｎ３２−Ｎ３１）／（Ｖ３２−Ｖ３１）＜−０．０５
（１１）  Ｖ３１＞６０
（１２）  −１．８＜Ｒ３３／Ｄｓ３３＜−１．０
ただし、
Ｎ３１：前記両凸レンズＬ３１の屈折率
Ｖ３１：前記両凸レンズＬ３１のアッベ数
Ｎ３２：前記両凹レンズＬ３２の屈折率
Ｖ３２：前記両凹レンズＬ３２のアッベ数
Ｒ３３：前記負メニスカスレンズＬ３３の物体側の面の曲率半径
Ｄｓ３３：前記開口絞りＳから前記負メニスカスレンズＬ３３の物体側の面までの光軸上の距離
【００４９】
ここで、光軸上の距離の符号は物体から像側へ向かう方向を正とする。第３レンズ群Ｇ３の最も物体側に負レンズ成分Ｌ３ａを配することで、軸上色収差、球面収差、非点収差の補正に寄与する。条件式（１０）と条件式（１１）は、Ｌ３１とＬ３２に使用するべき硝材の条件を規定している。
【００５０】
条件式（１０）の上限を超えＬ３ａの接合面の屈折率差が少なくなると球面収差が悪化するので好ましくない。条件式（１０）の下限を超えアッベ数差が少なくなると軸上色収差が悪化するため好ましくない。
【００５１】
尚、条件式（１０）について、望ましくは下限値を−０．５、さらには上限値を−０．２とすることで、前述の効果をより確実にすることができる。
【００５２】
さらに、条件式（１１）の下限を超えＬ３１のアッベ数が小さくなると軸上色収差が悪化し好ましくない。
【００５３】
条件式（１１）について、望ましくは下限値を７０とすることで、前述の効果をより確実にすることができる。
【００５４】
条件式（１２）は、続く負メニスカスレンズＬ３３の物体側の面の曲率半径を規定し、主にサジタルコマフレアを良好に補正するためのものである。上限を超え絞りからＬ３３の物体側の面までの距離が遠くなるとサジタルコマフレアの悪化につながる。下限を超えＬ３３の物体側の面がゆるくなると、絞りに対してコンセントリックとならず、周辺まで平坦な像面とならず好ましくない。
【００５５】
条件式（１２）について、望ましくは下限値を−１．６、さらに上限値を−１．２とすることで、前述の効果をより確実にすることができる。
【００５６】
前記第３レンズ群Ｇ３内に、光軸から離れるほど負のパワーが強くなる非球面を有することが望ましい。このような非球面は周辺光線の入射角を小さく保ちつつ軸上光線の入射角を大きくすることができ、軸外収差を悪化させることなく球面収差の補正に寄与する。
【００５７】
本発明の光学系においては、無限遠から近距離までのフォーカシングに際して、第２レンズ群Ｇ２と第３レンズ群Ｇ３がそれぞれ異なる移動量で物体方向に移動するフローティング方式をとることが望ましい。このような構成にすることで、フォーカシング時の収差補正の自由度が増し、無限遠から近距離にかけて高い光学性能を維持することができる。
【００５８】
次に、本発明の撮像レンズに係る実施例のレンズ構成について説明する。尚、以下の説明ではレンズ構成を物体側から像側の順番で記載する。
【００５９】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数、ＰｇＦはｇ線とＦ線間の部分分散比を示す。またＢＦはバックフォーカスを表す。
【００６０】
面番号を付した（開口絞り）には、平面または開口絞りＳに対する曲率半径∞（無限大）を記入している。
【００６１】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
2020012952.tif 000003
【００６２】
［各種データ］には、焦点距離などの値を示している。
【００６３】
［可変間隔データ］には、各撮影距離状態における可変間隔及びＢＦ（バックフォーカス）の値を示している。
【００６４】
［レンズ群データ］には、各レンズ群を構成する最も物体側の面番号及び群全体の合成焦点距離を示している。
【００６５】
尚、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６６】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００６７】
さらに図１、６、１１、１６、２１、２６に示すレンズ構成図において、Ｓは開口絞り、Ｉは像面、中心を通る一点鎖線は光軸である。
【実施例１】
【００６８】
図１は、本発明の実施例１の撮像レンズのレンズ構成図である。図１の光学系は物体側から像側へ順に、負のパワーを有する第１レンズ群Ｇ１、正のパワーを有する第２レンズ群Ｇ２、開口絞りＳ、正のパワーを有する第３レンズ群Ｇ３から構成されている。
【００６９】
第１レンズ群Ｇ１は、物体側から順に負のパワーを有する第１Ａサブレンズ群Ｇ１Ａ、正のパワーを有する第１Ｂサブレンズ群Ｇ１Ｂから構成されている。第１Ａサブレンズ群Ｇ１Ａは物体側から順に、正メニスカスレンズ、負メニスカスレンズ、負メニスカスレンズから構成されている。第１Ｂサブレンズ群Ｇ１Ｂは、物体側から順に、両凹レンズＬＸ１と両凸レンズＬＸ２を接合したレンズ成分Ｘ、正メニスカスレンズＬＹ１と両凹レンズＬＹ２を接合したレンズ成分Ｙ、両凸の正レンズとから構成されている。
【００７０】
第２レンズ群Ｇ２は、物体側から像側へ順に、両凸レンズ、両凸レンズと両凹レンズを接合したレンズ成分、から構成されている。
【００７１】
第３レンズ群Ｇ３は物体側から順に、両凸レンズＬ３１と両凹レンズＬ３２を接合し物体側に凸面を向けたレンズ成分Ｌ３ａ、負メニスカスレンズＬ３３、両凸レンズＬ３４、正レンズから構成されている。第３レンズ群Ｇ３の最も像側に配置される正レンズの両側のレンズ面は所定の非球面形状である。
【００７２】
さらに、無限遠から近距離へのフォーカシングに際して、第１レンズ群Ｇ１を像面に対して固定し、第２レンズ群Ｇ２と第３レンズ群Ｇ３がそれぞれ異なる移動量で物体側へ移動する。このとき開口絞りＳは第３レンズ群Ｇ３に付随して移動する。
【００７３】
続いて以下に実施例１に係る撮像レンズの諸元値を示す。
数値実施例1
単位：mm
[面データ]
面番号         r           d       nd       vd       PgF
物面            ∞      (d0)
1        111.7037    5.5478   1.77250    49.62     0.55
2        514.0093    0.1500
3        191.8963    1.5000   1.43700    95.10     0.53
4         30.2492   12.0599
5        423.9805    1.5000   1.43700    95.10     0.53
6         50.8216   13.2984
7        -38.1791    1.5000   1.64769    33.84     0.59
8        172.5440    9.3857   1.83481    42.72     0.56
9        -56.3040    0.1500
10     -1641.6822   12.4672   1.55032    75.50     0.54
11       -32.7021    1.5000   1.60342    38.01     0.58
12       246.8799    0.1500
13        83.2754    5.8820   1.77250    49.62     0.55
14      -377.0503     (d14)
15        90.4416    5.3037   1.92286    20.88     0.64
16      -527.4885    0.1500
17        55.6364   11.8660   1.59282    68.63     0.54
18       -44.6058    2.4820   1.58144    40.89     0.58
19        39.3845     (d19)
（絞り）          ∞    1.5000
21        84.0231    6.8887   1.43700    95.10     0.53
22       -32.2020    1.5000   1.64769    33.84     0.59
23        66.2242    7.8613
24       -26.9856    1.5000   1.62588    35.74     0.59
25      -121.0290    0.1500
26        64.6922    6.7685   1.59282    68.63     0.54
27       -40.8255    0.1500
28*     -430.0370    4.6315   1.85135    40.10     0.57
29*      -54.9865        BF
像面            ∞
[非球面データ]
28面           29面
K             0.0000        0.0000
A4      -2.73662E-06   3.26804E-06
A6       3.07519E-09   3.98767E-09
A8       3.90515E-11   3.58258E-11
A10      -1.94154E-14   0.00000E+00
A12        0.0000E+00   0.00000E+00
[各種データ]
INF
焦点距離         41.20
Fナンバー          1.45
全画角2ω         55.87
像高Y           21.63
レンズ全長       171.00
[可変間隔データ]
INF        393mm
d0               ∞    222.4990
d14           8.7665      2.6030
d19           7.3907      6.3421
BF          39.0002     46.2123
[レンズ群データ]
群         始面         焦点距離
G1           1           -653.69
G2          15             90.17
G3          21             73.15
【実施例２】
【００７４】
図６は、本発明の実施例２の撮像レンズのレンズ構成図である。図６の光学系は物体側から像側へ順に、負のパワーを有する第１レンズ群Ｇ１、正のパワーを有する第２レンズ群Ｇ２、開口絞りＳ、正のパワーを有する第３レンズ群Ｇ３から構成されている。
【００７５】
第１レンズ群Ｇ１は、物体側から順に負のパワーを有する第１Ａサブレンズ群Ｇ１Ａ、正のパワーを有する第１Ｂサブレンズ群Ｇ１Ｂから構成されている。第１Ａサブレンズ群Ｇ１Ａは物体側から順に、正メニスカスレンズ、負メニスカスレンズ、両凹レンズから構成されている。第１Ｂサブレンズ群Ｇ１Ｂは、物体側から順に、負メニスカスレンズＬＸ１と正メニスカスレンズＬＸ２を接合したレンズ成分Ｘ、両凸レンズＬＹ１と両凹レンズＬＹ２を接合したレンズ成分Ｙ、両凸の正レンズから構成されている。
【００７６】
第２レンズ群Ｇ２は、物体側から像側へ順に、両凸の正レンズ、両凸レンズと両凹レンズを接合したレンズ成分、から構成されている。
【００７７】
第３レンズ群Ｇ３は物体側から順に、両凸レンズＬ３１と両凹レンズＬ３２を接合し物体側に凸面を向けたレンズ成分Ｌ３ａ、負メニスカスレンズＬ３３、両凸レンズＬ３４、正レンズから構成されている。第３レンズ群の最も像側に配置される正レンズの両側のレンズ面は所定の非球面形状である。
【００７８】
さらに、無限遠から近距離へのフォーカシングに際して、第１レンズ群Ｇ１を像面に対して固定し、第２レンズ群Ｇ２と第３レンズ群Ｇ３がそれぞれ異なる移動量で物体側へ移動する。このとき開口絞りＳは第３レンズ群Ｇ３に付随して移動する。
【００７９】
続いて以下に実施例２に係る撮像レンズの諸元値を示す。
数値実施例2
単位：mm
[面データ]
面番号      r          d         nd       vd      PgF
物面          ∞     (d0)
1     157.3686    4.8818   1.77250    49.62    0.55
2    1856.3618    0.1500
3     144.0576    1.5000   1.43700    95.10    0.53
4      29.2176   14.2565
5    -213.2951    1.5000   1.43700    95.10    0.53
6      61.5403   12.1780
7     -37.3274    1.5000   1.62004    36.30    0.59
8    -203.5178    6.2010   1.83481    42.72    0.56
9     -52.3315    0.1500
10     307.2163   13.7503   1.55032    75.50    0.54
11     -31.4429    1.5000   1.59270    35.44    0.59
12     282.6389    0.5241
13      85.1809    5.3578   1.77250    49.62    0.55
14    -609.1957     (d14)
15     103.5230    5.4547   1.92286    20.88    0.64
16    -262.8090    0.1500
17      54.0207   11.8863   1.59282    68.63    0.54
18     -45.2154    1.5000   1.58144    40.89    0.58
19      40.5821     (d19)
（絞り）        ∞    1.5000
21      78.5674    7.1284   1.43700    95.10    0.53
22     -32.5944    1.5000   1.64769    33.84    0.59
23      61.8213    7.9788
24     -27.8218    1.5000   1.62588    35.74    0.59
25    -132.7192    0.1500
26      68.1166    6.7446   1.59282    68.63    0.54
27     -39.9843    0.1500
28*    391.8633    5.1444   1.85135    40.10    0.57
29*    -76.9713        BF
像面          ∞
[非球面データ]
28面           29面
K            0.00000        0.00000
A4        1.71728E-06    6.97618E-06
A6        7.81913E-09    7.70738E-09
A8        3.28705E-11    4.25379E-11
A10      -4.53242E-14   -4.30653E-14
A12       0.00000E+00    0.00000E+00
[各種データ]
INF
焦点距離          39.57
Fナンバー          1.46
全画角2ω         57.81
像高Y           21.63
レンズ全長        170.00
[可変間隔データ]
INF          393mm
d0                ∞     222.5000
d14           9.4427       3.6038
d19           7.3207       6.3610
BF           38.9999      45.7985
[レンズ群データ]
群          始面         焦点距離
G1            1          -364.99
G2           15            82.97
G3           21            76.39
【実施例３】
【００８０】
図１１は、本発明の実施例３の撮像レンズのレンズ構成図である。図１１の光学系は物体側から像側へ順に、負のパワーを有する第１レンズ群Ｇ１、正のパワーを有する第２レンズ群Ｇ２、開口絞りＳ、正のパワーを有する第３レンズ群Ｇ３から構成されている。
【００８１】
第１レンズ群Ｇ１は、物体側から順に負のパワーを有する第１Ａサブレンズ群Ｇ１Ａ、正のパワーを有する第１Ｂサブレンズ群Ｇ１Ｂから構成されている。第１Ａサブレンズ群Ｇ１Ａは物体側から順に、正メニスカスレンズ、負メニスカスレンズ、負メニスカスレンズから構成されている。第１Ｂサブレンズ群Ｇ１Ｂは、物体側から順に、両凹レンズＬＸ１と両凸レンズＬＸ２を接合したレンズ成分Ｘ、正メニスカスレンズＬＹ１と負メニスカスレンズＬＹ２を接合したレンズ成分Ｙ、両凸の正レンズから構成されている。
【００８２】
第２レンズ群Ｇ２は、物体側から像側へ順に、両凸の正レンズ、両凸レンズと両凹レンズを接合したレンズ成分、から構成されている。
【００８３】
第３レンズ群Ｇ３は物体側から順に、両凸レンズＬ３１と両凹レンズＬ３２を接合し物体側に凸面を向けたレンズ成分Ｌ３ａ、負メニスカスレンズＬ３３、両凸レンズＬ３４、正レンズから構成されている。第３レンズ群Ｇ３の最も像側に配置される正レンズの両側のレンズ面は所定の非球面形状である。
【００８４】
さらに、無限遠から近距離へのフォーカシングに際して、第１レンズ群Ｇ１を像面に対して固定し、第２レンズ群Ｇ２と第３レンズ群Ｇ３がそれぞれ異なる移動量で物体側へ移動する。このとき開口絞りＳは第３レンズ群Ｇ３に付随して移動する。
【００８５】
続いて以下に実施例３に係る撮像レンズの諸元値を示す。
数値実施例3
単位：mm
[面データ]
面番号         r         d        nd       vd       PgF
物面           ∞      (d0)
1       117.6314    5.3192   1.77250    49.62     0.55
2       532.0219    0.1500
3       126.7305    1.5000   1.43700    95.10     0.53
4        28.1993   12.8135
5       964.0692    1.5000   1.43700    95.10     0.53
6        54.3327   13.1744
7       -36.5990    1.5000   1.67300    38.15     0.58
8       267.6470    8.7330   1.83481    42.72     0.56
9       -51.0851    0.1500
10     -104.5408   10.8145   1.59282    68.62     0.54
11      -29.6706    1.5000   1.64769    33.84     0.59
12     -193.6866    0.1500
13       94.2965    5.6070   1.77250    49.62     0.55
14     -355.0703     (d14)
15      131.0596    4.8976   1.92286    20.88     0.64
16     -286.7647    0.9175
17       48.7144   13.0049   1.59282    68.63     0.54
18      -44.5688    1.5819   1.58144    40.89     0.58
19       37.1212     (d19)
（絞り）         ∞    1.6437
21       56.0457    7.7744   1.55032    75.50     0.54
22      -32.8314    1.5000   1.72342    37.99     0.58
23       49.3095    7.2744
24      -28.1080    1.5000   1.72047    34.71     0.58
25     -144.4089    0.1500
26       64.2496    6.6865   1.59282    68.63     0.54
27      -41.3158    0.1500
28*     517.5462    6.1843   1.88202    37.22     0.58
29*     -63.6102        BF
像面           ∞
[非球面データ]
28面         29面
K           0.00000       0.00000
A4      1.72992E-08   5.37372E-06
A6      6.26270E-09   6.89077E-09
A8      2.49889E-11   2.59188E-11
A10     -1.77875E-14   0.00000E+00
A12       0.0000E+00   0.00000E+00
[各種データ]
INF
焦点距離         40.44
Fナンバー          1.46
全画角2ω         56.76
像高Y           21.63
レンズ全長       170.00
[可変間隔データ]
INF         392mm
d0               ∞     222.4970
d14           6.7664       0.9899
d19           8.0567       6.8561
BF          38.9999      45.9770
[レンズ群データ]
群         始面         焦点距離
G1           1           -554.85
G2          15             98.30
G3          21             72.40
【実施例４】
【００８６】
図１６は、本発明の実施例４の撮像レンズのレンズ構成図である。図１６の光学系は物体側から像側へ順に、正のパワーを有する第１レンズ群Ｇ１、正のパワーを有する第２レンズ群Ｇ２、開口絞りＳ、正のパワーを有する第３レンズ群Ｇ３から構成されている。
【００８７】
第１レンズ群Ｇ１は、物体側から順に負のパワーを有する第１Ａサブレンズ群Ｇ１Ａ、正のパワーを有する第１Ｂサブレンズ群Ｇ１Ｂから構成されている。第１Ａサブレンズ群Ｇ１Ａは物体側から順に、正メニスカスレンズ、負メニスカスレンズ、両凹レンズから構成されている。第１Ｂサブレンズ群Ｇ１Ｂは、物体側から順に、両凹レンズＬＸ１と両凸レンズＬＸ２を接合したレンズ成分Ｘ、両凸レンズＬＹ１と両凹レンズＬＹ２を接合したレンズ成分Ｙ、両凸の正レンズから構成されている。
【００８８】
第２レンズ群Ｇ２は、物体側から像側へ順に、正メニスカスレンズ、両凸レンズと両凹レンズを接合したレンズ成分、から構成されている。
【００８９】
第３レンズ群Ｇ３は物体側から順に、両凸レンズＬ３１と両凹レンズＬ３２を接合し物体側に凸面を向けたレンズ成分Ｌ３ａ、負メニスカスレンズＬ３３、両凸レンズＬ３４、正レンズから構成されている。第３レンズ群Ｇ３の最も像側に配置される正メニスカスレンズの両側のレンズ面は所定の非球面形状である。
【００９０】
さらに、無限遠から近距離へのフォーカシングに際して、第１レンズ群Ｇ１を像面に対して固定し、第２レンズ群Ｇ２と第３レンズ群Ｇ３がそれぞれ異なる移動量で物体側へ移動する。このとき開口絞りＳは第３レンズ群に付随して移動する。
【００９１】
続いて以下に実施例４に係る撮像レンズの諸元値を示す。
数値実施例4
単位：mm
[面データ]
面番号          r         d         nd      vd     PgF
物面            ∞      (d0)
1       102.4259    5.7075   1.77250   49.62    0.55
2       416.1024    0.1500
3       123.9532    1.5000   1.43700   95.10    0.53
4        28.5541   12.8279
5     -1305.9348    1.5000   1.43700   95.10    0.53
6        49.6155   12.3757
7       -36.5801    1.5000   1.75211   25.05    0.62
8       182.8774    9.0200   1.90366   31.32    0.59
9       -52.4949    1.6928
10       192.9443   12.4343   1.55032   75.50    0.54
11       -33.3114    1.5000   1.61340   44.27    0.56
12        98.9322    0.1500
13        69.5203    6.9563   1.77250   49.62    0.55
14      -215.2756     (d14)
15        73.0127    5.1140   1.92286   20.88    0.64
16      1000.0000    0.1500
17        79.5497   10.4784   1.59282   68.63    0.54
18       -43.9236    2.8148   1.58144   40.89    0.58
19        39.6653     (d19)
（絞り）          ∞    1.5000
21        41.7094    9.3242   1.49700   81.61    0.54
22       -28.4609    1.5000   1.62004   36.30    0.59
23        39.0793    7.0650
24       -24.5248    1.5000   1.72342   37.99    0.58
25       -68.9179    0.1500
26        72.4258    6.8520   1.59282   68.63    0.54
27       -36.4745    0.1500
28*     -253.0956    3.7066   1.85135   40.10    0.57
29*      -51.6351        BF
像面           ∞
[非球面データ]
28面         29面
K          0.00000       0.00000
A4     -3.04069E-06   2.86492E-06
A6      4.69931E-10   1.14256E-09
A8      3.33072E-11   3.34009E-11
A10    -9.48484E-15   0.00000E+00
A12      0.0000E+00    0.0000E+00
[各種データ]
INF
焦点距離          40.53
Fナンバー          1.46
全画角2ω         56.66
像高Y           21.63
レンズ全長        170.00
[可変間隔データ]
INF          393mm
d0                ∞      222.5000
d14           5.6359        0.1500
d19           7.7446        6.5193
BF           39.0002       45.7114
[レンズ群データ]
群          始面           焦点距離
G1            1             3000.13
G2           15              136.24
G3           21               66.47
【００９２】
以上、本発明の好ましい実施形態について説明したが、本発明はこれらの実施形態に限定されず、その要旨の範囲内で種々の変形及び変更が可能である。
【００９３】
以下に上記の各実施例に対応する条件式対応値を示す。
[条件式対応値]
条件式／実施例                   1      2
(1)                    ｆ３／ｆｗ                   1.78   1.93
(2)                  ＶＸ１／ＶＸ２                 0.79   0.85
(3)                  ＶＹ１／ＶＹ２                 1.99   2.13
(4)  （ＲＹ１１＋ＲＹ１２）／（ＲＹ１１−ＲＹ１２） 1.04   0.81
(5)                 ｜ｆｗ／ｆＸ１｜                0.86   0.53
(6)                   ｆｗ／ｆＸ２                  0.80   0.48
(7)                   ｆｗ／ｆＹ１                  0.68   0.75
(8)                 ｜ｆｗ／ｆＹ２｜                0.86   0.83
(9)               ＶｎＡ×ΔＰｇＦｎＡ              5.36   5.36
(10)１００×（Ｎ３２−Ｎ３１）／（Ｖ３２−Ｖ３１） -0.34  -0.34
(11)                    Ｖ３１                     95.10  95.10
(12)               Ｒ３３／Ｄｓ３３                -1.52  -1.54
3      4
(1)                    ｆ３／ｆｗ                   1.79   1.64
(2)                  ＶＸ１／ＶＸ２                 0.89   0.80
(3)                  ＶＹ１／ＶＹ２                 2.03   1.71
(4)  （ＲＹ１１＋ＲＹ１２）／（ＲＹ１１−ＲＹ１２） 1.79   0.71
(5)                 ｜ｆｗ／ｆＸ１｜                0.85   1.00
(6)                   ｆｗ／ｆＸ２                  0.78   0.88
(7)                   ｆｗ／ｆＹ１                  0.61   0.77
(8)                 ｜ｆｗ／ｆＹ２｜                0.74   1.00
(9)               ＶｎＡ×ΔＰｇＦｎＡ              5.36   5.36
(10)１００×（Ｎ３２−Ｎ３１）／（Ｖ３２−Ｖ３１） -0.46  -0.27
(11)                    Ｖ３１                     75.50  81.61
(12)               Ｒ３３／Ｄｓ３３                -1.55  -1.26
【符号の説明】
【００９４】
Ｇ１      第１レンズ群
Ｇ１Ａ    第１Ａサブレンズ群
Ｇ１Ｂ    第１Ｂサブレンズ群
Ｇ２      第２レンズ群
Ｇ３      第３レンズ群
Ｓ        開口絞り
Ｉ        像面
【図１】
2020012952.tif 000004
【図２】
2020012952.tif 000005
【図３】
2020012952.tif 000006
【図４】
2020012952.tif 000007
【図５】
2020012952.tif 000008
【図６】
2020012952.tif 000009
【図７】
2020012952.tif 000010
【図８】
2020012952.tif 000011
【図９】
2020012952.tif 000012
【図１０】
2020012952.tif 000013
【図１１】
2020012952.tif 000014
【図１２】
2020012952.tif 000015
【図１３】
2020012952.tif 000016
【図１４】
2020012952.tif 000017
【図１５】
2020012952.tif 000018
【図１６】
2020012952.tif 000019
【図１７】
2020012952.tif 000020
【図１８】
2020012952.tif 000021
【図１９】
2020012952.tif 000022
【図２０】
2020012952.tif 000023